(57)【要約】【課題】情報をより直感的かつ効果的にユーザに提供するための技術を提供する。【解決手段】本発明は、電子ドキュメントをディスプレイ上の第１の領域に第１の倍率で表示するステップと、電子ドキュメントの移動の指示を検出するステップと、検出された移動の指示に応答して、ディスプレイ上に表示された電子ドキュメントを移動して、電子ドキュメントの第１の部分をディスプレイ上の第１の領域に第１の倍率で表示するとともに、電子ドキュメントのうち第１の部分を除く残りの部分をディスプレイ上の第２の領域に第１の倍率とは異なる第２の倍率で表示するステップと、を備える。【選択図】図３
2014115783.tif 000002
【特許請求の範囲】
【請求項１】
プロセッサとディスプレイを有する装置において、前記プロセッサが電子ドキュメントを前記ディスプレイ上に表示する方法であって、
電子ドキュメントを前記ディスプレイ上の第１の領域に第１の倍率で表示するステップと、
前記電子ドキュメントの移動の指示を検出するステップと、
検出された前記移動の指示に応答して、前記ディスプレイ上に表示された前記電子ドキュメントを移動して、前記電子ドキュメントの第１の部分を前記ディスプレイ上の前記第１の領域に前記第１の倍率で表示するとともに、前記電子ドキュメントのうち前記第１の部分を除く残りの部分を前記ディスプレイ上の第２の領域に前記第１の倍率とは異なる第２の倍率で表示するステップと、
を備える方法。
【請求項２】
前記第２の領域は、前記ディスプレイ上において前記第１の領域に隣接することを特徴とする請求項１に記載の方法。
【請求項３】
前記移動の指示が検出されなくなったとき、前記ディスプレイ上に表示された前記電子ドキュメントを移動して、前記電子ドキュメントを前記ディスプレイ上の前記第１の領域に前記第１の倍率で、または、前記ディスプレイ上の前記第２の領域に前記第２の倍率で
表示するステップと、をさらに備える請求項１または２に記載の方法。
【請求項４】
前記第２の領域に表示されている電子ドキュメントに関連する情報を、前記ディスプレイ上の第３の領域に表示するステップと、をさらに備える請求項１〜３のいずれか１項に記載の方法。
【請求項５】
プロセッサとディスプレイを有する表示装置であって、
電子ドキュメントを前記ディスプレイ上の第１の領域に第１の倍率で表示するアイテム表示制御部と、
前記電子ドキュメントの移動の指示を検出する入力検出部と、
を備え、
前記アイテム表示制御部は、前記入力検出部によって検出された移動の指示に応答して、前記ディスプレイ上に表示された前記電子ドキュメントを移動して、前記電子ドキュメントの第１の部分を前記ディスプレイ上の前記第１の領域に前記第１の倍率で表示するとともに、前記電子ドキュメントのうち前記第１の部分を除く残りの部分を前記ディスプレイ上の第２の領域に前記第１の倍率とは異なる第２の倍率で表示する、
表示装置。
【請求項６】
前記第２の領域は、前記ディスプレイ上において前記第１の領域に隣接することを特徴とする請求項５に記載の表示装置。
【請求項７】
前記アイテム表示制御部は、前記移動の指示が検出されなくなったとき、前記ディスプレイ上に表示された前記電子ドキュメントを移動して、前記電子ドキュメントを前記ディスプレイ上の前記第１の領域に前記第１の倍率で、または、前記ディスプレイ上の前記第２の領域に前記第２の倍率で表示することを特徴とする請求項５または６に記載の表示装置。
【請求項８】
前記表示制御手段は、前記第２の領域に表示されている電子ドキュメントに関連する情報を、前記ディスプレイ上の第３の領域に表示することを特徴とする請求項５〜７のいずれか１項に記載の表示装置。
【発明の詳細な説明】
【技術分野】
【０００１】
本発明は、画像を含む電子ドキュメントを表示する情報処理技術に関する。
【背景技術】
【０００２】
近年、Ｗｅｂ、ソーシャルメディアなどの様々な媒体の普及により、様々な情報を得ることができる。例えば、特許文献１には、インターネットなどを介した情報検索システムにおいて、情報提供者用のサイトから情報の提供を行い、ユーザ用のサイトから情報の検索を行う技術について記載されている。特許文献１によれば、ユーザが要求するサービスの内容を明示すれば、ユーザの嗜好や利用履歴を評価し、それを満たす情報を提供する。ユーザは、この検索システムを用いることで、自分が興味を持ったレストラン、その他の店舗、イベントなどの情報を得ることができる。
【先行技術文献】
【特許文献】
【０００３】
【特許文献１】特開２００１−２２２５５１号公報
【発明の概要】
【発明が解決しようとする課題】
【０００４】
特許文献１には、ユーザの嗜好や利用履歴を如何に分析して評価するかについて記載されているが、評価された情報の提供方法については特段記載されていない。しかしながら、実際に情報を提供する際には、如何に精度よく分析が行われても、分析結果を効果的にユーザに提供できないと、ユーザが情報を適切に利用できないおそれがある。すなわち、評価された情報を如何にして提供するかによって、ユーザの操作性や利便性が左右され、ひいては、情報提供装置全体の利便性に影響を及ぼしうるのである。
【０００５】
本発明は、上記に鑑みてなされたものであり、その課題は、複数の情報をより直感的かつ効果的にユーザに提供するための技術を提供することにある。
【課題を解決するための手段】
【０００６】
本発明に係る幾つかの態様は、プロセッサとディスプレイを有する装置において、プロセッサが電子ドキュメントをディスプレイ上に表示する方法であって、電子ドキュメントをディスプレイ上の第１の領域に第１の倍率で表示するステップと、電子ドキュメントの移動の指示を検出するステップと、検出された移動の指示に応答して、ディスプレイ上に表示された電子ドキュメントを移動して、電子ドキュメントの第１の部分をディスプレイ上の第１の領域に第１の倍率で表示するとともに、電子ドキュメントのうち第１の部分を除く残りの部分をディスプレイ上の第２の領域に第１の倍率とは異なる第２の倍率で表示するステップと、を備える。
【０００７】
ここで、第２の領域は、ディスプレイ上において第１の領域に隣接することが好ましい。また、移動の指示が検出されなくなったとき、ディスプレイ上に表示された電子ドキュメントを移動して、電子ドキュメントをディスプレイ上の第１の領域に第１の倍率で、または、ディスプレイ上の第２の領域に第２の倍率で表示するステップと、をさらに備えることが好ましい。さらに、第２の領域に表示されている電子ドキュメントに関連する情報を、ディスプレイ上の第３の領域に表示するステップと、をさらに備えることが好ましい。また、本発明に係る幾つかの態様は、上記方法をコンピュータに実行させるプログラムである。さらに、本発明に係る幾つかの態様は、上記プログラムを記録したコンピュータ読み取り可能な記録媒体である。
【０００８】
また、本発明に係る幾つかの態様は、プロセッサとディスプレイを有する表示装置であって、電子ドキュメントをディスプレイ上の第１の領域に第１の倍率で表示するアイテム表示制御部と、電子ドキュメントの移動の指示を検出する入力検出部と、を備え、アイテム表示制御部は、入力検出部によって検出された移動の指示に応答して、ディスプレイ上に表示された電子ドキュメントを移動して、電子ドキュメントの第１の部分をディスプレイ上の第１の領域に第１の倍率で表示するとともに、電子ドキュメントのうち第１の部分を除く残りの部分をディスプレイ上の第２の領域に第１の倍率とは異なる第２の倍率で表示する。
【発明の効果】
【０００９】
本発明の表示装置及び表示方法によれば、複数の情報をより直感的かつ効果的にユーザに提供し得るという優れた効果を奏し得る。
【図面の簡単な説明】
【００１０】
【図１】本発明の一実施形態に係る情報処理システムの全体構成を示す概略図である。
【図２】本実施形態における端末装置２０の機能構成を示すブロック図である。
【図３】本実施形態において選択されたアイテムをディスプレイ２６に表示する際の表示画面の一例を示す図である。
【図４Ａ】本実施形態において、並進移動前の状態における表示の一例である。
【図４Ｂ】本実施形態において、領域３１に表示される複数の画像を並進移動させる途中の表示状態の一例を示す図である。
【図４Ｃ】本実施形態において、複数の画像がさらに並進移動したときの表示状態の一例を示す図である。
【図４Ｄ】本実施形態において、画像４０が領域３１２内に移動し終えたときの表示状態の一例を示す図である。
【図５】本実施形態において、領域３１に表示される複数の画像を並進移動させる処理の実装の一例を示す図である。
【図６】本実施形態において、端末装置２０により実行される処理のフローを説明する図である。
【発明を実施するための形態】
【００１１】
以下、本発明の実施の形態について図面を参照しつつ詳細に説明する。なお、同一の要素には同一の符号を付し、重複する説明を省略する。また、以下の実施の形態は、本発明を説明するための例示であり、本発明をその実施の形態のみに限定する趣旨ではない。さらに、本発明は、その要旨を逸脱しない限り、さまざまな変形が可能である。
【００１２】
図１は、本発明の一実施形態に係る情報処理システムの全体構成を示す概略図である。情報処理システム１は、サーバ装置１０、端末装置２０，３０，４０（以下、単に「端末装置２０」という。）などの情報処理装置を主に備える。端末装置２０は、表示装置として機能する装置であり、本実施形態では、サーバ装置１０とネットワークＮを介して相互に通信することができる。なお、図１では、３つの端末装置が記載されているが、これは一例にすぎず、サーバ装置１０と通信可能な端末装置の数は、任意であるものとする。
【００１３】
ネットワークＮは、サーバ装置１０及び端末装置２０が相互に情報を送受信するための通信回線である。ネットワークＮは、例えば、インターネット、ＬＡＮ、専用線、パケット通信網、電話回線、企業内ネットワーク、その他の通信回線、それらの組み合わせ等のいずれであってもよく、有線であるか無線であるかを問わない。
【００１４】
サーバ装置１０は、専用又は汎用のサーバ・コンピュータなどの情報処理装置を用いて実現することができる。サーバ装置１０は、例えば、メモリ等に格納された所定のプログラムをのプロセッサによって実行することにより、各種の機能実現手段として機能する。なお、サーバ装置１０は、単一の情報処理装置より構成されるものであっても、ネットワーク上に分散した複数の情報処理装置より構成されるものであってもよい。
【００１５】
端末装置２０は、好適には、携帯電話機、スマートフォン、タブレット端末、ＰＤＡ、ノートパソコンなどの携帯端末により構成される。しかしながら、端末装置２０は他の情報処理端末によって構成されても良い。なお、端末装置２０は、各種情報を表示することにより、表示装置として機能する一面を持つ。端末装置２０は、主なハードウェア構成として、プロセッサ２１、通信部２４、記憶部２５、ディスプレイ２６及び操作部２７を備える。プロセッサ２１は、ＣＰＵ（Ｃｅｎｔｒａｌ  Ｐｒｏｃｅｓｓｉｎｇ  Ｕｎｉｔ）２２及びメモリ２３を主に備えて構成される。端末装置３０，４０についても端末装置２０と同様の構成を持つ。
【００１６】
プロセッサ２１では、ＣＰＵ２２は、記憶部２５等に記憶されたプログラムをメモリ２３に展開して実行することにより、端末装置２０が備える各種構成の動作を制御し、また、各種処理の実行を制御する。プロセッサ２１において実行される処理の詳細は後述する。
【００１７】
通信部２４は、ネットワークＮを介してサーバ装置１０等の各種情報処理装置と通信するための通信インタフェースである。また、通信部２４は、図示しないＷｉｆｉ（wireless fidelity）ステーション、基地局、ＧＰＳ衛星等から、測位処理に必要な信号を受信する。
【００１８】
記憶部２５は、ハードディスク等の記憶装置によって構成される。記憶部２５は、プロセッサ２１における処理の実行に必要な各種プログラムや各種の情報を記憶する。
【００１９】
ディスプレイ２６は、液晶や有機ＥＬ等によって構成される表示装置である。ディスプレイ２６による表示の詳細な例については後述する。
【００２０】
操作部２７は、ユーザからの端末装置２０に対する操作を受け付けるためのタッチパネルや操作ボタンなどのユーザインタフェースである。
【００２１】
図２は、本実施形態における端末装置２０の機能構成を示すブロック図である。端末装置２０は、主な機能構成として、アイテム登録部２１１、入力検出部２１２及びアイテム表示制御部２１３を備える。一実施形態において、これらの機能は、プロセッサ２１において、ＣＰＵ２２が、記憶部２５等に記憶されたプログラムをメモリ２３に展開して実行し、端末装置２０が備える構成を制御することにより実現される。また、これらの機能のうち任意のものは、端末装置２０にダウンロード及びインストール可能なプログラム、すなわちアプリケーションの形態で提供されてもよい。
【００２２】
アイテム登録部２１１は、ユーザにより操作部２７を介して入力されたアイテムについての情報を、通信部２４を介してサーバ装置１０に送信し、アイテムを登録する処理を行う。本実施形態において、各アイテムは、アイテムの対象の位置情報（住所など）と、個人又は団体（企業、ショップ、飲食店など）を含むユーザが設定した当該アイテムの文字情報（コメントなど）及び画像情報（写真など）とが、対応付けられて構成されている。ここで、アイテムとは、個人又は団体（企業、ショップ、飲食店など）などにより、ある場所で気に入ったもの又は宣伝したいもの等として登録されるものを含む。
【００２３】
入力検出部２１２は、ユーザにより操作部２７を介して入力された情報を検出する処理を行う。例えば、入力検出部２１２は、ユーザによる操作部２７のタップやスワイプといった操作を検出することによって、操作部２７を介して選択されたアイテムを検出し、また、操作部２７を介して入力された移動の指示を検出する。
【００２４】
アイテム表示制御部２１３は、入力検出部２１２による検出結果に応じて、ディスプレイ２６への表示を制御する処理を行う。本実施形態においては、ユーザにより操作部２７を介して選択されたアイテムをディスプレイ２６に表示するための制御処理を行う。すなわち、サーバ装置１０に登録されている複数のアイテムの中から、ユーザが任意のアイテムを１つ選択すると、アイテム表示制御部２１３は、選択されたアイテムに対応付けられた情報と当該アイテムに関連するアイテムの情報とを、通信部２４を介して、サーバ装置１０から取得して、ディスプレイ２６に表示する。取得するアイテムの情報が、端末装置２０のキャッシュ等に残っている場合には、サーバ装置１０から再度アイテムの情報を取得することに換えて、キャッシュ等に残っている情報を取得して利用してもよい。また、本実施形態において、選択されたアイテムに関連するアイテムとは、選択されたアイテムを登録したユーザによって登録された他の一部又は全てのアイテムである。
【００２５】
なお、各アイテムの情報は、端末装置２０又は図示されていない他の情報処理装置等を介して個人又は団体などによって予め登録され、サーバ装置１０の記憶部に記憶されている。すなわち、本実施形態において、各ユーザは、アイテムをサーバ装置１０に投稿して新たなアイテムを登録することができるとともに、サーバ装置１０にすでに記憶されているアイテムを閲覧することもできる。
【００２６】
図３は、本実施形態において選択されたアイテムをディスプレイ２６に表示する際の表示画面の一例を示す図である。同図に示すように、アイテム表示制御部２１３は、領域３１に、複数のアイテムのそれぞれに対応付けられた画像を表示する。領域３１は、アイテムに対応付けられた画像を所定の大きさで表示する第１の領域３１１と、領域３１１に隣接する領域であって、領域３１１に表示される画像よりも拡大して画像を表示する第２の領域３１２とを含んでいる。図３に示す例では、ユーザにより選択されたアイテムに対応付けられた画像が領域３１２に表示される。また、選択されたアイテムに関連するアイテムに対応付けられた画像が領域３１１に表示される。選択されたアイテムに関連するアイテムとして、領域３１に表示しきれない数のアイテムが取得されている場合、アイテム表示制御部２１３は、その一部のアイテムについての画像を領域３１に表示し、ユーザ操作に応じて、画面の領域３１を横スクロールすることで他のアイテムに対応付けられた画像を表示させることができる。
【００２７】
さらに、領域３１２に表示されている画像に対応付けられたアイテムの詳細情報が、第３の領域３２に表示される。本実施形態では、ユーザにより選択されたアイテム、すなわち、領域３１２に表示されている画像に対応付けられたアイテムに対応付けられたコメント等の文字情報等が、詳細情報として表示される。
【００２８】
なお、図３では、領域３１１に、３つのアイテムに関連する画像が表示され、領域３１２に、１つのアイテムに関連する画像が表示されているが、各領域に表示される画像の数はこれらに限定されず、領域の大きさと画像の大きさに応じて、任意の数の画像を表示し得る。また、図３では、領域３１２に、領域３１１に表示されている各画像よりも、縦横２倍の倍率で拡大された画像が表示されているが、領域３１２に拡大表示される画像の倍率は、２倍に限らず、任意の倍率を採用可能である。また、領域３１２に表示される画像は、領域３１１に表示される画像と比較して、縦横比が固定されていることが望ましいが、これに限られない。
【００２９】
図２に戻り、アイテム表示制御部２１３はさらに、ユーザにより領域３１に表示されている画像の移動が指示されたことに応答して、領域３１を横スクロールする処理を行う。より具体的には、領域３１２に表示されるアイテムの画像を次々に切り替えていき、それに合わせて、領域３２に表示されるアイテムの詳細情報を次々に切り替えていく。
【００３０】
図４Ａ−４Ｄは、本実施形態において、領域３１に表示されるアイテムの画像を第１の方向に並進移動させたときの表示の一例を示す図である。なお、本実施形態においては、アイテムの画像が水平方向に並進移動する場合を想定しているため、領域３１１及び領域３１２にアイテムの画像が水平方向に一列に並置されるように表示画面が構成されているが、アイテムの画像を並進移動させる方向は水平方向に限らず、垂直方向または対角方向、その他の任意の方向を採用可能である。領域３１１及び領域３１２の配置や形状に応じて、アイテム画像の移動の向きや、表示する画像の数、大きさ等を適宜設定可能である。
【００３１】
図４Ａは、本実施形態において、並進移動前の状態における表示の一例である。同図に示すように、領域３１には、複数の画像が水平方向に並んで表示される。図４Ａでは、領域３１には、画像が水平方向に４つ並んで表示される。各画像は、それぞれ所定のアイテムに対応付けられて、サーバ装置１０に記憶されている。領域３１２には、ユーザにより選択されたアイテムに対応付けられた画像が表示されている。また、領域３１２に対して水平方向に隣接する領域３１１には、領域３１２に表示された画像に対応付けられたアイテムと関連するアイテムの画像が３つ表示されている。図４Ａに示すように、領域３１２には、領域３１１に表示される画像よりも縦横それぞれ２倍の大きさの画像が表示される。
【００３２】
ここで、ユーザは操作部２７を介して、画像の移動を指示する。このとき、入力検出部２１２が、タッチスクリーンディスプレイ上又はその付近においてオブジェクトの移動を検出する。オブジェクトの一例は、指である。オブジェクトの移動の指示が検出されると、それに応答して、アイテム表示制御部２１３は、領域３１に表示された複数の画像の移動の量及び向きＸを算出し、算出された結果に基づいて、領域３１に表示された画像を並進移動させる。
【００３３】
図４Ｂは、本実施形態において、領域３１に表示される複数の画像を並進移動させる途中の表示状態の一例を示す図である。図４Ｂでは、複数の画像が左向きに並進移動している。
【００３４】
ここで、画像４０に着目すると、画像４０は、画像の全部が領域３１１内にあった状態（図４Ａ）から、第１の方向Ｘに並進移動した結果、画像４０のうちの第１の部分４０１だけが領域３１１内に残り、残りの第２の部分４０２は領域３１２内に入る。そして、領域３１２内に入った第２の部分４０２は、第１の部分４０１に表示されているサムネイル画像よりも、所定の倍率で拡大表示される。
【００３５】
また、図４Ｂに示すように、領域３１１の右端、すなわち、領域３１２と接している端部とは反対側の端部３１３には、新たなアイテムの画像の一部が表示される。さらに、領域３１２においては、移動前に領域３１２内に表示されていた画像４１は、画像４０の一部（第２の部分４０２）に押し出される結果、画像４１の一部のみが領域３１２に表示される。
【００３６】
図４Ｃは、本実施形態において、複数の画像がさらに並進移動したときの表示状態の一例を示す図である。同図に示すように、画像４０の移動により、画像４０のうち第１の部分４０１に含まれる部分が小さくなり、第２の部分４０２に含まれる部分が大きくなる。そして、図４Ｂと同様に、アイテムの画像４０のうち、領域３１２内に入った第２の部分４０２が拡大表示される。
【００３７】
図４Ｄは、本実施形態において、画像がさらに第１の方向Ｘの向きに並進移動して、画像４０が領域３１２内に移動し終えたときの表示状態の一例を示す図である。同図に示すように、並進移動の結果、画像４０が領域３１１から領域３１２へと移動し、領域３１２に表示される画像が画像４１から画像４０に切り替わる。そして、図示省略しているが、画像４０に対応付けられたアイテムの詳細情報が、新たに領域３２に表示される。また、領域３１１の右端には、新たな画像４２が表示される。
【００３８】
以後、ユーザによる移動の指示に応じて、図４Ａ−４Ｄに示した処理と同様の処理が次々と繰り返される。なお、ユーザによる移動の指示が無くなった後、領域３１１と領域３１２をまたがる部分で画像の移動が終了した場合には、図４Ａないし図４Ｄのように、領域３１１と領域３１２にまたがる画像がなくなるように、画像を左右いずれかにさらに並進移動させることが好ましい。
【００３９】
図５は、本実施形態において、領域３１に表示される複数の画像を並進移動させる処理の実装の一例を示す図である。同図に示すように、アイテム表示制御部２１３は、領域３１１において、複数の画像を水平方向にスクロールさせる処理と、領域３１２において、拡大表示された画像を水平方向にスクロールさせる処理とを行い、両者を合成することによって、本実施形態のような表示処理が実現される。
【００４０】
合成の際に、領域３２１と領域３２２とが接する部分において、領域３２１に表示した画像と領域３２２に表示した画像とが一致するように、両領域内における画像の位置及び並進移動の量が調整される。例えば、領域３１２に表示される画像の大きさが、領域３１１に表示される画像よりも縦横２倍に拡大されている場合、領域３１２の横スクロールの量Ｙは、領域３１１における横スクロールの量Ｚの２倍に調整される。
【００４１】
次に、図６を参照して、本実施形態において、端末装置２０により実行される処理のフローを説明する。なお、以下に説明する処理のフローに含まれる各処理ステップは、処理内容に矛盾を生じない範囲で、任意に順番を変更して又は並列に実行することができるとともに、各処理ステップ間に他のステップを追加してもよい。また、便宜上１ステップとして記載されているステップは、複数ステップに分けて実行することができる一方、便宜上複数ステップに分けて記載されているものは、１ステップとして把握することができる。
【００４２】
まず、入力検出部２１２は、ユーザによるアイテムの選択を検出し（Ｓ１１）、検出に応答して、アイテム表示制御部２１３は、選択されたアイテムに関する情報を、図３に例示したような形式で、ディスプレイ２６に表示する（Ｓ１２）。次に、入力検出部２１２が、ユーザによる画像の移動指示を検出し（Ｓ１３）、検出に応答して、アイテム表示制御部２１３は、領域３１に表示された複数の画像を、図４Ａ−４Ｄに例示したような形式で、ディスプレイ２６に表示する（Ｓ１４）。
【００４３】
以上のように、本実施形態においてアイテム表示制御部２１３は、ユーザによる画像の移動指示に応答して、領域３１に表示された画像を水平方向にスクロールさせる処理を行う。より具体的には、領域３１２に表示されるアイテムの画像を次々に切り替えていき、それに合わせて、領域３２に表示されるアイテムの詳細情報を次々に切り替えていく。また、領域３１２に表示されるアイテムの画像は、領域３１１に表示されるアイテムの画像よりも所定の倍率で拡大表示される。これにより、ユーザは、簡便かあつ直感的な操作によって、任意のアイテムの詳細情報を得られるようになる。
【００４４】
なお、本発明は、上記した実施の形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述の各処理ステップは処理内容に矛盾を生じない範囲で任意に順番を変更して又は並列に実行することができる。
【００４５】
例えば、上述の実施形態では、アイテム表示制御部２１３によって領域３１に表示されるアイテムは、ユーザにより選択されたアイテムと、当該アイテムを登録したユーザによって登録された他のアイテムであるものとしたが、これに限定されない。アイテム表示制御部２１３は、端末装置２０の現在位置を算出し、算出された現在位置から所定の範囲内（例えば、５００ｍ、又は１ｋｍ以内）の位置に関連付けられたアイテムの情報をサーバ装置１０から取得して、領域３１に表示するものとしてもよい。このとき、端末装置２０は、Ｗｉｆｉステーション、基地局、ＧＰＳ衛星等から受信した信号に基づいて測位処理を行い、現在位置を算出する処理を行う。
【００４６】
他にも、アイテム表示制御部２１３は、任意の位置（例えば、ユーザから指定された位置）から所定の範囲内の位置に関連付けられたアイテムの情報を領域３１に表示することとしても良い。また、サーバ装置１０から取得するアイテムをユーザからの指示に応じて、任意の観点に基づいて絞り込むこともできる。例えば、ユーザが自分で登録したアイテムのみを取得するように絞り込むことや、キーワードによって取得するアイテムを絞り込むことができる。
【００４７】
また、上述の実施形態では、各アイテムは、画像情報が対応付けられて構成されるものとしたが、アイテムに画像情報が対応付けられていない場合等には、アイテムの情報に基づいて、画像情報を生成してもよい。例えば、アイテムが文書などによって構成されている場合には、当該文書のサムネイル画像を画像情報として対応付けてもよい。
【００４８】
さらに、上述の実施形態では、領域３１に表示される複数のアイテムを左方向に並進移動させる処理を例示したが、右方向への移動が指示された場合には、複数のアイテムを右方向に並進移動させるものであることは言うまでもない。また、領域３１の構成の仕方によって、上下方向や斜め方向にスクロールさせるものとしてもよい。
【符号の説明】
【００４９】
１  情報処理システム、１０  サーバ装置、２０，３０，４０  端末装置、２１  プロセッサ、２２  ＣＰＵ、２３  メモリ、２４  通信部、２５  記憶部、２６  ディスプレイ、２７  操作部、３１  領域、３２  第３の領域、２１１  アイテム登録部、２１２  入力検出部、２１３  アイテム表示制御部、３１１  第１の領域、３１２  第２の領域、４０１  第１の部分、４０２  第２の部分
【図１】
2014115783.tif 000003
【図２】
2014115783.tif 000004
【図６】
2014115783.tif 000005
【図３】
2014115783.tif 000006
【図４Ａ】
2014115783.tif 000007
【図４Ｂ】
2014115783.tif 000008
【図４Ｃ】
2014115783.tif 000009
【図４Ｄ】
2014115783.tif 000010
【図５】
2014115783.tif 000011